(57)【要約】【課題】野縁が固定具から外れるのを抑制することが可能な天井構造を提供する。【解決手段】リップ部４１を有する野縁４０と、野縁４０を上方から受ける野縁受け３０と、野縁４０を野縁受け３０に固定する固定具５０と、を具備する天井構造１であって、固定具５０は、互いに別体として構成される第一固定具６０及び第二固定具７０を有し、第一固定具６０及び第二固定具７０は、野縁受け３０に引っ掛けられる引っ掛け部６２・７２と、野縁４０のリップ部４１と当接することで野縁４０を支持する側板部６１・７１と、を有する。【選択図】図３
2020051208.tif 000002
【特許請求の範囲】
【請求項１】
リップ部を有する野縁と、
前記野縁を上方から受ける野縁受けと、
前記野縁を前記野縁受けに固定する固定具と、
を具備する天井構造であって、
前記固定具は、
互いに別体として構成される第一固定具及び第二固定具を有し、
前記第一固定具及び前記第二固定具は、
前記野縁受けに引っ掛けられる引っ掛け部と、
前記野縁のリップ部と当接することで前記野縁を支持する支持部と、
を有する、
天井構造。
【請求項２】
前記第一固定具及び前記第二固定具の引っ掛け部は、
前記支持部から前記野縁受けの幅方向へ延びるように形成され、前記野縁受けの上方に配置される頂部と、
前記頂部から折れ曲がるように形成され、前記野縁受けと当接することで前記野縁受けに引っ掛かる爪部と、
を有する、
請求項１に記載の天井構造。
【請求項３】
前記第二固定具の爪部は、
前記第一固定具に対して干渉しないように配置される、
請求項２に記載の天井構造。
【請求項４】
前記第二固定具の爪部は、
前記第一固定具に対して、前記野縁受けの長手方向の一側及び他側に間隔をあけて一対形成される、
請求項３に記載の天井構造。
【請求項５】
前記第二固定具の頂部は、
前記第一固定具の頂部に上方から重ねられる、
請求項２から請求項４までのいずれか一項に記載の天井構造。
【請求項６】
前記第一固定具は、
前記支持部が前記野縁受けに対して前記幅方向の一側に配置されると共に、前記爪部が前記野縁受けの前記幅方向の他側において当接し、
前記第二固定具は、
前記支持部が前記野縁受けに対して前記幅方向の他側に配置されると共に、前記爪部が前記野縁受けの前記幅方向の一側において当接する、
請求項２から請求項５までのいずれか一項に記載の天井構造。
【請求項７】
前記野縁受けは、
前記第一固定具の爪部と当接するウェブと、
前記ウェブの下部から前記幅方向の一側へ向けて突出する下フランジと、
前記ウェブの上部から前記幅方向の一側へ向けて突出し、前記第二固定具の爪部と当接する上フランジと、
を有し、
前記第二固定具の支持部は、
前記野縁受けのウェブとの間に前記第一固定具の爪部を挟み込む、
請求項６に記載の天井構造。
【請求項８】
前記第二固定具の爪部は、
前記上フランジと前記下フランジとの間に入り込むように延出する、
請求項７に記載の天井構造。
【請求項９】
野縁受けに引っ掛けられ、リップ部を有する野縁を前記野縁受けに固定する固定具であって、
互いに別体として構成される第一固定具及び第二固定具を有し、
前記第一固定具及び前記第二固定具は、
前記野縁受けに引っ掛けられる引っ掛け部と、
前記野縁のリップ部と当接することで前記野縁を支持する支持部と、
を有し、
前記第一固定具及び前記第二固定具の引っ掛け部は、
前記支持部から前記野縁受けの幅方向へ延びるように形成され、前記野縁受けの上方に配置される頂部と、
前記頂部と連続するように形成され、下方へと折れ曲がるように変形可能な変形部と、
を有する、
固定具。
【発明の詳細な説明】
【技術分野】
【０００１】
本発明は、野縁を野縁受けに固定する天井構造及び固定具の技術に関する。
【背景技術】
【０００２】
従来、野縁を野縁受けに固定する天井構造及び固定具の技術は公知となっている。例えば、特許文献１に記載の如くである。
【０００３】
特許文献１に記載される天井構造において、固定具（クリップ）は、その上部に形成される爪片部と、その下部に形成される両係止片と、を具備する。前記固定具は、爪片部を野縁受けの上部に引っ掛けると共に、両係止片を野縁に形成される屈曲部に係止させることで、野縁を野縁受けに固定する。
【０００４】
特許文献１においては、一部材（固定具）の両係止片を野縁に係止しているに過ぎないため、地震等が発生して天井が揺れた場合に、野縁が固定具から外れ、天井が容易に脱落する可能性がある。
【先行技術文献】
【特許文献】
【０００５】
【特許文献１】特開２００８−２５２７１号公報
【発明の概要】
【発明が解決しようとする課題】
【０００６】
本発明は、以上の如き状況を鑑みてなされたものであり、その解決しようとする課題は、野縁が固定具から外れるのを抑制することが可能な天井構造及び固定具を提供するものである。
【課題を解決するための手段】
【０００７】
本発明の解決しようとする課題は以上の如くであり、次にこの課題を解決するための手段を説明する。
【０００８】
即ち、請求項１においては、リップ部を有する野縁と、前記野縁を上方から受ける野縁受けと、前記野縁を前記野縁受けに固定する固定具と、を具備する天井構造であって、前記固定具は、互いに別体として構成される第一固定具及び第二固定具を有し、前記第一固定具及び前記第二固定具は、前記野縁受けに引っ掛けられる引っ掛け部と、前記野縁のリップ部と当接することで前記野縁を支持する支持部と、を有するものである。
【０００９】
請求項２においては、前記第一固定具及び前記第二固定具の引っ掛け部は、前記支持部から前記野縁受けの幅方向へ延びるように形成され、前記野縁受けの上方に配置される頂部と、前記頂部から折れ曲がるように形成され、前記野縁受けと当接することで前記野縁受けに引っ掛かる爪部と、を有するものである。
【００１０】
請求項３においては、前記第二固定具の爪部は、前記第一固定具に対して干渉しないように配置されるものである。
【００１１】
請求項４においては、前記第二固定具の爪部は、前記第一固定具に対して、前記野縁受けの長手方向の一側及び他側に間隔をあけて一対形成されるものである。
【００１２】
請求項５においては、前記第二固定具の頂部は、前記第一固定具の頂部に上方から重ねられるものである。
【００１３】
請求項６においては、前記第一固定具は、前記支持部が前記野縁受けに対して前記幅方向の一側に配置されると共に、前記爪部が前記野縁受けの前記幅方向の他側において当接し、前記第二固定具は、前記支持部が前記野縁受けに対して前記幅方向の他側に配置されると共に、前記爪部が前記野縁受けの前記幅方向の一側において当接するものである。
【００１４】
請求項７においては、前記野縁受けは、前記第一固定具の爪部と当接するウェブと、前記ウェブの下部から前記幅方向の一側へ向けて突出する下フランジと、前記ウェブの上部から前記幅方向の一側へ向けて突出し、前記第二固定具の爪部と当接する上フランジと、を有し、前記第二固定具の支持部は、前記野縁受けのウェブとの間に前記第一固定具の爪部を挟み込むものである。
【００１５】
請求項８においては、前記第二固定具の爪部は、前記上フランジと前記下フランジとの間に入り込むように延出するものである。
【００１６】
請求項９においては、野縁受けに引っ掛けられ、リップ部を有する野縁を前記野縁受けに固定する固定具であって、互いに別体として構成される第一固定具及び第二固定具を有し、前記第一固定具及び前記第二固定具は、前記野縁受けに引っ掛けられる引っ掛け部と、前記野縁のリップ部と当接することで前記野縁を支持する支持部と、を有し、前記第一固定具及び前記第二固定具の引っ掛け部は、前記支持部から前記野縁受けの幅方向へ延びるように形成され、前記野縁受けの上方に配置される頂部と、前記頂部と連続するように形成され、下方へと折れ曲がるように変形可能な変形部と、を有するものである。
【発明の効果】
【００１７】
本発明の効果として、以下に示すような効果を奏する。
【００１８】
請求項１においては、野縁が固定具から外れるのを抑制することができる。
【００１９】
請求項２においては、固定具が野縁受けから外れるのを抑制することができる。
【００２０】
請求項３においては、第二固定具を野縁受けに簡単に引っ掛けることができる。
【００２１】
請求項４においては、第一固定具が野縁受けに対して長手方向に相対移動しようとするのを規制することができる。
【００２２】
請求項５においては、第一固定具が野縁受けから外れるのを抑制することができる。
【００２３】
請求項６においては、固定具が野縁受けから外れるのを効果的に抑制することができる。
【００２４】
請求項７においては、第一固定具が野縁受けから外れるのを抑制することができる。
【００２５】
請求項８においては、第二固定具が野縁受けから外れるのを抑制することができる。
【００２６】
請求項９においては、野縁が固定具から外れるのを抑制することができる。
【図面の簡単な説明】
【００２７】
【図１】天井構造を示した正面図。
【図２】固定具により野縁が野縁受けに固定された状態を示した斜視図。
【図３】（ａ）同じく、一部正面断面図。（ｂ）同じく、一部側面断面図。
【図４】同じく、一部背面断面図。
【図５】第一固定具を示した斜視図。
【図６】（ａ）同じく、平面図。（ｂ）同じく、正面図。（ｃ）同じく、背面図。（ｄ）同じく、側面図。
【図７】第二固定具を示した斜視図。
【図８】（ａ）第二固定具を示した平面図。（ｂ）同じく、正面図。（ｃ）同じく、背面図。（ｄ）同じく、側面図。
【図９】（ａ）取り付け前の第一固定具を示した斜視図。（ｂ）同じく、側面図。
【図１０】第一固定具を移動させる様子を示した斜視図。
【図１１】（ａ）第一固定具を移動させた後の状態を示した斜視図。（ｂ）同じく、一部正面断面図。
【図１２】第一固定具を取り付けた状態を示した一部側面断面図。
【図１３】（ａ）取り付け前の第二固定具を示した斜視図。（ｂ）同じく、側面図。
【図１４】第二固定具を移動させる様子を示した斜視図。
【図１５】第二固定具を移動させた後の状態を示した斜視図。
【図１６】同じく、一部側面断面図。
【図１７】変形例に係る第二固定具を示した斜視図。
【図１８】変形例に係る第二固定具の凹部に第一固定具の爪部が収容された状態を示した側面断面図。
【発明を実施するための形態】
【００２８】
以下の説明においては、図中に記した矢印に従って、上下方向、左右方向及び前後方向をそれぞれ定義する。
【００２９】
以下では、図１から図３までを用いて、本発明の一実施形態に係る固定具５０を具備する天井構造１について説明する。
【００３０】
図１に示す天井構造１は、建物の天井を形成するためのものである。天井構造１は、例えば、店舗等の建物に採用される。天井構造１は、吊りボルト１０、ハンガー２０、野縁受け３０、野縁４０及び固定具５０を具備する。
【００３１】
吊りボルト１０は、躯体Ａから吊り下げられるものである。吊りボルト支持金具を用いて鋼材に取り付けられることで躯体Ａに固定される（不図示）。吊りボルト１０は、左右方向及び前後方向に間隔をあけて複数設けられる。
【００３２】
ハンガー２０は、後述する野縁受け３０を支持するためのものである。ハンガー２０は、側面視略Ｊ字状に形成され、吊りボルト１０の下端部に固定される。これにより、ハンガー２０は、１つの吊りボルト１０に対して１つ設けられ、左右方向及び前後方向に間隔をあけて配置される。
【００３３】
野縁受け３０は、後述する野縁４０を支持するためのものである。野縁受け３０は、その長手方向を左右方向に向けた長尺状に形成される。また、図２及び図３に示すように、野縁受け３０は、側面視略Ｃ字状に形成される。野縁受け３０は、上方から野縁４０を受けることができる。野縁受け３０は、ウェブ３１、上フランジ３２及び下フランジ３３を具備する。
【００３４】
ウェブ３１は、その板面を前後方向へ向けて配置される略板状の部分である。上フランジ３２は、ウェブ３１の上端部から前方へ突出する略板状の部分である。下フランジ３３は、ウェブ３１の下端部から前方へ突出する略板状の部分である。
【００３５】
このように構成される野縁受け３０は、図１に示すように、左右方向に間隔をあけて配置される複数のハンガー２０を跨ぐように配置され、当該複数のハンガー２０に支持される。また、野縁受け３０は、前後方向に間隔をあけて複数設けられる。なお、本実施形態においては、前後方向（野縁受け３０の長手方向及び上下方向に直交する方向）が、野縁受け３０の幅方向となっている。
【００３６】
野縁４０は、天井板（不図示）を支持するためのものである。野縁４０は、その長手方向を前後方向に向けた長尺状に形成される。図２及び図３に示すように、野縁４０は、その上部が開口する正面視略Ｕ字状に形成される。野縁４０は、リップ部４１を具備する。
【００３７】
リップ部４１は、野縁４０に左右一対設けられ、野縁４０の上端部から左右方向内側へ突出するように形成される。リップ部４１には、その左右方向内側の端部からそれぞれ下方へ突出する返し部４１ａが形成される。
【００３８】
このように構成される野縁４０は、野縁受け３０の下方において、当該野縁受け３０と直交するように配置される。また、野縁４０は、前後に配置された複数の野縁受け３０を跨ぐように配置される（不図示）。このような野縁４０は、左右方向に間隔をあけて複数設けられる。なお、本実施形態に係る野縁４０は、シングル野縁である。
【００３９】
固定具５０は、野縁４０を野縁受け３０に固定するためのものである。固定具５０は、野縁受け３０に取り付けられる。固定具５０は、天井構造１において、野縁受け３０及び野縁４０が交差する箇所に設けられる。これにより、固定具５０は、前後方向及び左右方向に間隔をあけて複数設けられる。当該複数の固定具５０は、それぞれ互いに別体である２つの部材により構成される。より詳細には、固定具５０は、第一固定具６０及び第二固定具７０により構成される。第一固定具６０及び第二固定具７０は、それぞれ一枚の板状の金属部材を適宜折り曲げることにより形成されている。
【００４０】
以下では、第一固定具６０及び第二固定具７０の構成について詳細に説明する。
【００４１】
図１に示すように、天井構造１において複数設けられる固定具５０は、それぞれ適宜の方向へ向けて取り付けられる。以下では、図１に示す２つの固定具５０のうち、右側に記載された固定具５０を基準として第一固定具６０及び第二固定具７０の方向を定義するものとする。
【００４２】
また、第一固定具６０及び第二固定具７０は、後述するように、野縁受け３０に取り付けられる際に一部（後述する引っ掛け部６２・７２）が折り曲げられる。当該第一固定具６０及び第二固定具７０は、野縁受け３０への取り付け前後で、全体としての形状が変化する。そこで、以下では、まず変形後（取り付け後）の第一固定具６０及び第二固定具７０の構成について説明し、変形前（取り付け前）の構成については、後述する野縁４０の固定方法の説明の中で適宜説明する。
【００４３】
まず、図３（ａ）、図５及び図６を用いて、第一固定具６０の構成について詳細に説明する。
【００４４】
第一固定具６０は、第二固定具７０と共に固定具５０を構成する部材である。第一固定具６０は、側面視略逆Ｊ字状に形成される。図５及び図６に示すように、第一固定具６０は、側板部６１及び引っ掛け部６２を具備する。
【００４５】
側板部６１は、野縁４０を支持する部分である。側板部６１は、第一固定具６０の前部に形成されると共に、板面を前後方向へ向けた略平板状に形成される。側板部６１は、正面視で上下方向を長手方向とした略矩形状に形成される。図３（ａ）に示すように、側板部６１は、上下方向幅が野縁受け３０の上下方向幅よりも広くなるように形成される。図５及び図６に示すように、側板部６１は、凸部６１ａ、上側ストレート部６１ｂ、テーパ部６１ｃ、下側ストレート部６１ｄ及び係合部６１ｅを具備する。
【００４６】
凸部６１ａは、側板部６１から前方へ突出する部分である。凸部６１ａは、側板部６１の上部から下端部までに亘って、当該側板部６１を前方に突出させることで形成される。凸部６１ａは、上部の左右方向幅が下部の左右方向幅よりも広くなるような縦長状に形成される。
【００４７】
上側ストレート部６１ｂは、側板部６１の外縁部の左上部及び右上部であり、側板部６１において一定の左右方向幅を有する部分である。上側ストレート部６１ｂは、側板部６１の上端部から上下中途部までに亘って、上下方向に延びるように形成される。側板部６１は、上側ストレート部６１ｂ（上部）において左右方向幅が最も広くなる。なお、以下においては、側板部６１の上側ストレート部６１ｂにおける（最も広い）左右方向幅を、「側板部６１の左右方向幅」と称する。
【００４８】
テーパ部６１ｃは、側板部６１の外縁部の上下中途部であり、側板部６１の左右方向幅が変化する部分である。テーパ部６１ｃは、下方へ向かうにつれて左右方向内側へ延びるように形成される。テーパ部６１ｃは、上側ストレート部６１ｂの下端部と連続するように形成される。
【００４９】
下側ストレート部６１ｄは、側板部６１の外縁部の左下部及び右下部であり、側板部６１において一定の左右方向幅を有する部分である。下側ストレート部６１ｄは、テーパ部６１ｃの下端部から側板部６１の下端部近傍までに亘って、上下方向に延びるように形成される。下側ストレート部６１ｄは、テーパ部６１ｃの下端部と連続するように形成される。側板部６１は、下側ストレート部６１ｄ（下部）において左右方向幅が最も狭くなる。図３（ａ）に示すように、側板部６１は、下側ストレート部６１ｄが形成される部分（下部）が、野縁４０の左右の返し部４１ａの間に配置可能となるように形成される。
【００５０】
図５及び図６に示す係合部６１ｅは、野縁４０のリップ部４１に係合可能な部分である。係合部６１ｅは、側板部６１の下端部に形成される。係合部６１ｅは、左右方向外側へ延びると共に当該延びた端部が上方へ延びるような正面視略Ｌ字状に形成される。係合部６１ｅの外縁部は、後方へ折り曲げられている。こうして、係合部６１ｅは、折り曲げられた角部を有することにより、剛性が高くなるように形成される。当該係合部６１ｅは、側板部６１に左右一対形成される。図３（ａ）に示すように、左右の係合部６１ｅは、野縁４０の左右のリップ部４１に下方から当接可能となるように形成される。
【００５１】
引っ掛け部６２は、野縁受け３０に引っ掛けられる部分である。図５及び図６に示すように、引っ掛け部６２は、側板部６１の上端部から後方へ突出し、当該突出した端部か下方へ折れ曲がるような側面視略逆Ｌ字状に形成される。引っ掛け部６２は、頂部６２ａ及び爪部６２ｂを具備する。
【００５２】
頂部６２ａは、側板部６１から後方へ突出する部分である。頂部６２ａは、その板面を上下方向へ向けた略平板状に形成される。また、頂部６２ａは、平面視で左右方向を長手方向とした略矩形状に形成される。
【００５３】
爪部６２ｂは、頂部６２ａの後端部から下方へ折れ曲がる部分である。爪部６２ｂは、板面を前後方向へ向けた略平板状に形成される。爪部６２ｂは、引っ掛け部６２に左右一対形成される。
【００５４】
次に、図２、図３（ａ）、図４、図７及び図８を用いて、第二固定具７０の構成について詳細に説明する。
【００５５】
第二固定具７０は、第一固定具６０と共に固定具５０を構成する部材である。第二固定具７０は、側面視略逆Ｊ字状に形成される。図７及び図８に示すように、第二固定具７０は、側板部７１及び引っ掛け部７２を具備する。
【００５６】
側板部７１は、野縁４０を支持する部分である。側板部７１は、第二固定具７０の後部に形成されると共に、板面を前後方向へ向けた略平板状に形成される。側板部７１は、その上下方向幅が第一固定具６０の側板部６１の上下方向幅よりも僅かに（第一固定具６０の厚み程度だけ）広くなるように形成される。側板部７１は、凸部７１ａ、上側ストレート部７１ｂ、テーパ部７１ｃ、下側ストレート部７１ｄ及び係合部７１ｅを具備する。
【００５７】
凸部７１ａは、側板部７１から後方へ突出する部分である。凸部７１ａは、側板部７１の左右中央部において、上部から下部までに亘って側板部７１を後方に突出させることで形成される。凸部７１ａは、正面視で長手方向を上下方向に向けた略トラック状に形成される。
【００５８】
上側ストレート部７１ｂは、側板部７１の外縁部の左上部及び右上部である。上側ストレート部７１ｂは、側板部７１の上端部から上下中途部までに亘って、上下方向に延びるように形成される。側板部７１は、上側ストレート部７１ｂ（上部）において左右方向幅が最も広くなる。なお、以下においては、側板部７１の上側ストレート部７１ｂにおける（最も広い）左右方向幅を、「側板部７１の左右方向幅」と称する。側板部７１の左右方向幅は、第一固定具６０の側板部６１の左右方向幅よりも広くなるように形成される（図４参照）。
【００５９】
テーパ部７１ｃは、側板部７１の外縁部の上下中途部である。テーパ部７１ｃは、下方へ向かうにつれて左右方向内側へ延びるように形成される。テーパ部７１ｃは、上側ストレート部７１ｂの下端部と連続するように形成される。テーパ部７１ｃは、上下方向に対する傾斜角度が、第一固定具６０のテーパ部６１ｃよりも大きくなるように形成される。
【００６０】
下側ストレート部７１ｄは、側板部７１の外縁部の左下部及び右下部である。下側ストレート部７１ｄは、第一固定具６０の下側ストレート部７１ｄと同様に形成される。
【００６１】
係合部７１ｅは、野縁４０のリップ部４１に係合可能な部分である。係合部７１ｅは、外縁部が前方へ折り曲げられる点を除いて、第一固定具６０の係合部６１ｅと同様に形成される。
【００６２】
引っ掛け部７２は、野縁受け３０に引っ掛けられる部分である。引っ掛け部７２は、側板部７１の上端部から前方へ突出し、当該突出した端部が下方及び後下方へ適宜折れ曲がるように形成される。引っ掛け部７２は、頂部７２ａ及び爪部７２ｂを具備する。
【００６３】
頂部７２ａは、側板部７１から前方へ突出する部分である。頂部７２ａは、その板面を上下方向へ向けた略平板状に形成される。また、頂部７２ａは、平面視で左右方向を長手方向とした略矩形状に形成される。頂部７２ａは、その左右方向幅が第一固定具６０の頂部６２ａの左右方向幅よりも広くなるように形成される（図２参照）。
【００６４】
爪部７２ｂは、頂部７２ａの前端部から折れ曲がる部分である。爪部７２ｂは、略平板状に形成される。爪部７２ｂは、頂部７２ａの前端部から下方へ折れ曲がると共に当該下端部が後下方へ折れ曲がるように形成される。爪部７２ｂは、引っ掛け部７２に左右一対形成される。左右の爪部７２ｂの間隔（左側の爪部７２ｂの右端部から右側の爪部７２ｂの左端部までの左右方向の間隔）は、第一固定具６０の側板部６１の左右方向幅よりも大きくなるように形成される（図３（ａ）参照）。
【００６５】
以下では、図３、図４、及び図９から図１６までを参照して固定具５０を用いた野縁４０の固定方法について説明する。
【００６６】
まず、野縁受け３０に図９に示す第一固定具６０（取り付け前の第一固定具６０）が取り付けられる。
【００６７】
図９に示すように、取り付け前の第一固定具６０の引っ掛け部６２は、後部が折れ曲がっておらず、全体として板面を上下方向へ向けた略平板状に形成される。当該引っ掛け部６２は、後部が開口する平面視略Ｕ字状に形成される。当該引っ掛け部６２の後部（頂部６２ａを除く部分）は、下方へ折り曲げ変形可能な変形部６２ｃとして形成される。
【００６８】
図１０に示すように、取り付け前の第一固定具６０は、野縁受け３０に取り付けられる際、所定の取り付け位置（より詳細には、野縁受け３０及び野縁４０が交差する箇所の上前方）に配置される。なお、野縁受け３０及び野縁４０が交差する箇所において、野縁受け３０及び野縁４０は、上下に互いに当接するように配置されている。こうして、取り付け位置に配置された第一固定具６０は、適宜移動されることで引っ掛け部６２が野縁受け３０に引っ掛けられる。
【００６９】
具体的には、まず、第一固定具６０は、野縁受け３０及び野縁４０に近接するように下方へと移動され（図１０に示す矢印参照）、係合部６１ｅが野縁４０内に挿入される。このとき、第一固定具６０は、係合部６１ｅが野縁４０のリップ部４１に上方から接触しないように、適宜向きが変更（例えば、側板部６１の板面が左右方向を向くように横向きに変更）される。当該第一固定具６０は、係合部６１ｅの挿入後に元の向き（側板部６１の板面が前後方向を向いた図１０に示す向き）に戻され、係合部６１ｅがリップ部４１に下方から当接するように持ち上げられる（図３（ａ）参照）。
【００７０】
図１１に示すように、係合部６１ｅがリップ部４１と当接した第一固定具６０は、後方へ移動されて側板部６１の後面が野縁受け３０の上フランジ３２及び下フランジ３３の前端部と当接する。当該第一固定具６０は、頂部６２ａが野縁受け３０の上フランジ３２に載置される。一方、変形部６２ｃは、上フランジ３２に載置されず、野縁受け３０よりも後方に配置される。
【００７１】
このような状態において、変形部６２ｃは、下方へ折り曲げられる（図１１に示す矢印参照）。これにより、図１２に示すように、変形部６２ｃが略９０°折り曲げられ、引っ掛け部６２に爪部６２ｂが形成されることになる。当該爪部６２ｂは、野縁受け３０のウェブ３１の後面と当接し、野縁受け３０に引っ掛けられる。以上によって、第一固定具６０は、係合部６１ｅが野縁４０を持ち上げるようにリップ部４１と当接した状態で野縁受け３０に取り付けられる。これにより、第一固定具６０は、野縁４０を野縁受け３０に固定する。
【００７２】
第一固定具６０が野縁受け３０に取り付けられると、次に、図１３に示す第二固定具７０（取り付け前の第二固定具７０）が野縁受け３０に取り付けられる。
【００７３】
図１３に示すように、取り付け前の第二固定具７０の引っ掛け部７２は、前部が折れ曲がっておらず、全体として板面を上下方向へ向けた略平板状に形成される。当該引っ掛け部７２は、後部が開口する平面視略Ｕ字状に形成される。当該引っ掛け部７２の後部（頂部７２ａを除く部分）は、下方へ折り曲げ変形可能な変形部７２ｃとして形成される。左右の変形部７２ｃの間隔（左側の変形部７２ｃの右端部から右側の変形部７２ｃの左端部までの左右方向の間隔）は、第一固定具６０の側板部６１の左右方向幅よりも大きくなるように形成される（図１５参照）。
【００７４】
図１４に示すように、取り付け前の第二固定具７０は、野縁受け３０に取り付けられる際、所定の取り付け位置（より詳細には、野縁受け３０及び野縁４０が交差する箇所の上後方、すなわち当該野縁受け３０に取り付けられた第一固定具６０の上後方）に配置される。こうして、取り付け位置に配置された第二固定具７０は、適宜移動されることで引っ掛け部７２が野縁受け３０に引っ掛けられる。
【００７５】
具体的には、まず、第二固定具７０は、第一固定具６０の係合部６１ｅが野縁４０のリップ部４１に当接される場合と同じようにして、係合部７１ｅがリップ部４１に当接される（図４参照）。すなわち、第二固定具７０は、適宜向きが変更された状態で下方へ移動され（図１４に示す矢印参照）、係合部７１ｅが野縁４０内に挿入されると元の向きに戻されて持ち上げられる。
【００７６】
図１５に示すように、係合部７１ｅがリップ部４１と当接した第二固定具７０は前方へ移動されて、側板部７１の前面が野縁受け３０に近接する。
【００７７】
前述の如く、第一固定具６０の爪部６２ｂは、野縁受け３０のウェブ３１の後面と当接している。よって、図１５及び図１６に示すように、第二固定具７０が前方へと移動した状態において、側板部７１は、ウェブ３１ではなく、第一固定具６０の爪部６２ｂと当接する。こうして、側板部７１は、ウェブ３１との間で第一固定具６０の爪部６２ｂを挟むことになる。
【００７８】
第二固定具７０が前方へと移動した状態において、側板部７１は、野縁受け３０を挟んで第一固定具６０の側板部６１と対向するように配置される。また、第二固定具７０は、第一固定具６０に対して左右方向の位置を合わせて配置される。
【００７９】
また、第二固定具７０が前方へと移動した状態において、引っ掛け部７２の頂部７２ａは、第一固定具６０（頂部６２ａ）に載置される。当該頂部７２ａは、左右中央部が第一固定具６０の頂部６２ａに載置されると共に、左部及び右部が第一固定具６０の頂部６２ａに対して左右方向外側に配置される。また、変形部７２ｃは、第一固定具６０の頂部６２ａ及び側板部６１に対して左右方向外側、かつ野縁受け３０よりも前方に配置される。こうして、第二固定具７０の頂部７２ａは、第一固定具６０の頂部６２ａに重なるように配置される。
【００８０】
このような状態において、変形部７２ｃは、下方へ折り曲げられる（図１５及び図１６に示す矢印参照）。変形部７２ｃは、第一固定具６０の側板部６１に対して左右方向外側に配置されているため、下方へ折り曲げられても側板部６１と対向（当接）しない。こうして、変形部７２ｃは、第一固定具６０の側板部６１に干渉することなく折り曲げられる。これにより、変形部７２ｃを簡単に曲げることができる。
【００８１】
当該変形部７２ｃは、野縁受け３０の上フランジ３２と下フランジ３３との間に入り込むように（９０°よりも大きい角度、本実施形態では略１３５°）折り曲げられる。これによって、引っ掛け部７２に爪部７２ｂが形成されることになる（図３参照）。当該爪部７２ｂは、野縁受け３０の上フランジ３２と当接し、野縁受け３０に引っ掛けられる。
【００８２】
以上によって、第二固定具７０は、係合部７１ｅが野縁４０を持ち上げるようにリップ部４１と当接した状態で野縁受け３０に取り付けられる。これにより、第二固定具７０は、第一固定具６０の係合部６１ｅと当接しているリップ部４１に、係合部７１ｅをさらに当接させて野縁４０を野縁受け３０に固定する。
【００８３】
以上により、固定具５０を用いた野縁４０の固定が完了する。
【００８４】
本実施形態に係る固定具５０は、第一固定具６０及び第二固定具７０のそれぞれの係合部６１ｅ・７１ｅを野縁４０のリップ部４１に当接させて当該第一固定具６０及び第二固定具７０を野縁受け３０に取り付けている。これにより、固定具５０は、従来技術のような１つの部材の両係止片（係合部）を野縁４０に係止させる構成と比較して、野縁４０に対する当接箇所を増やして野縁４０を野縁受け３０に強固に固定することができる。このため、固定具５０は、地震等が発生して天井が揺れた場合であっても、野縁４０の固定具５０に対する相対移動を抑制し、野縁４０が固定具５０から外れるのを抑制することができる。
【００８５】
また、固定具５０は、第一固定具６０に加えて、第二固定具７０も引っ掛け部７２を野縁受け３０に引っ掛ける（爪部７２ｂを当接させる）ようにしている。これによれば、複数の部材（第一固定具６０及び第二固定具７０）の爪部６２ｂ・７２ｂを野縁受け３０にそれぞれ当接させることができる。これにより、固定具５０は、従来技術のような１つの部材の爪片部（爪部）を野縁受け３０に係止させる構成と比較して、野縁受け３０に対する当接箇所を増やして野縁受け３０に強固に引っ掛かることができる。このため、固定具５０は、地震等が発生して天井が揺れた場合であっても、野縁受け３０の固定具５０に対する相対移動を抑制し、固定具５０が野縁受け３０から外れるのを抑制することができる。
【００８６】
また、第二固定具７０は、頂部７２ａが第一固定具６０の頂部６２ａに載置されることで、第一固定具６０を上方から押さえて第一固定具６０が野縁受け３０から外れるのを抑制することができる。
【００８７】
また、前述の如く、取り付け前の第二固定具７０の引っ掛け部７２は、その前部が開口する平面視略Ｕ字状に形成されている（図１５参照）。このように構成することで、引っ掛け部７２は、左右方向幅が広い後部（頂部７２ａ）から前方へ突出するように変形部７２ｃが形成されるようにしている。これにより、引っ掛け部７２は、頂部７２ａの剛性を確保して、変形部７２ｃを折り曲げたときに頂部７２ａの前端部が上方へ撓むのを抑制することができる。
【００８８】
また、図３に示すように、第一固定具６０及び第二固定具７０は、側板部６１・７１が野縁受け３０を挟んで互いに対向する（野縁受け３０に対する側板部６１・７１の前後の位置関係が互いに反対となる）ように配置される。こうして、第一固定具６０及び第二固定具７０は、互いに反対向きに野縁受け３０に取り付けられている。このように構成することにより、第一固定具６０及び第二固定具７０の側板部６１・７１によって、野縁受け３０を前後から挟むことができる。これによって、固定具５０が野縁受け３０から外れるのを抑制することができる。
【００８９】
また、第二固定具７０は、側板部７１と野縁受け３０のウェブ３１との間に第一固定具６０の爪部６２ｂを挟んだ状態で、野縁受け３０に引っ掛けられている。これにより、第二固定具７０は、第一固定具６０の爪部６２ｂが十分に折り曲げられず、当該爪部６２ｂの先端部（下端部）がウェブ３１に対して浮いてしまった（僅かに離れてしまった）場合でも、当該爪部６２ｂを保持して第一固定具６０が野縁受け３０から外れるのを抑制することができる。
【００９０】
また、本実施形態においては、第二固定具７０の変形部７２ｃが、野縁受け３０の上フランジ３２と下フランジ３３との間に入り込むように（略１３５°）折り曲げられている。これにより、第二固定具７０を野縁受け３０に強固に引っ掛けることができる。
【００９１】
また、第二固定具７０は、既存の天井に設置済みのクリップに重ねるように取り付けることもできる。これにより、既存の天井において、野縁４０を野縁受け３０に強固に固定することができ、地震等が発生して天井が揺れた場合であっても、第二固定具７０及び前記クリップから野縁４０が外れるのを抑制することができる。また、第二固定具７０は、折り曲げて野縁受け３０に取り付けるだけであるため、簡単な施工で既存の天井に対して耐震補強を施すことができる。この場合、既存のクリップは、本実施形態に係る第一固定具６０に相当する。また、この場合、既存のクリップ及び第二固定具７０は、本実施形態に係る固定具５０に相当する。
【００９２】
なお、第一固定具６０は、前後方向の向きが互い違いとなるように、左右方向に間隔をあけて野縁受け３０に複数配置される（図１参照）。図１の右側に示す固定具５０においては、第一固定具６０（以下、「後向きの第一固定具６０」と称する）の爪部６２ｂが略９０°折り曲げられ（図１２参照）、爪部６２ｂが野縁受け３０のウェブ３１と当接する。一方、図１の左側に示す固定具５０においては、第一固定具６０（以下、「前向きの第一固定具６０」と称する）の爪部６２ｂが、図３に示す第二固定具７０の爪部７２ｂのように略１３５°折り曲げられて上フランジ３２と下フランジ３３との間に配置される。よって、前向きの第一固定具６０は、爪部６２ｂの折り曲げ角度が後向きの第一固定具６０よりも大きくなる。
【００９３】
天井構造１においては、第二固定具７０を全ての第一固定具６０に重ねるのではなく、一部の第一固定具６０に第二固定具７０を重ねてもよい。具体的には、第二固定具７０は、前向き及び後向きの第一固定具６０のうち、後向きの第一固定具６０、すなわち爪部６２ｂが野縁受け３０のウェブ３１に引っ掛かる第一固定具６０にのみ重ねられてもよい。これによって、第一固定具６０のうち、爪部６２ｂの折り曲げの角度が小さく、比較的野縁受け３０から外れ易い後向きの第一固定具６０に第二固定具７０を重ねることができる。また、第二固定具７０は、地震等が発生した場合に荷重がかかり易い第一固定具６０、具体的には、天井に設けられたブレースの周辺に配置される第一固定具６０にのみ重ねてもよい。このように、第二固定具７０の取り付けにメリハリをつけることで、費用対効果を向上させることができる。
【００９４】
以上の如く、本実施形態に係る天井構造１は、リップ部４１を有する野縁４０と、前記野縁４０を上方から受ける野縁受け３０と、前記野縁４０を前記野縁受け３０に固定する固定具５０と、を具備する天井構造１であって、前記固定具５０は、互いに別体として構成される第一固定具６０及び第二固定具７０を有し、前記第一固定具６０及び前記第二固定具７０は、前記野縁受け３０に引っ掛けられる引っ掛け部６２・７２と、前記野縁４０のリップ部４１と当接することで前記野縁４０を支持する側板部６１・７１（支持部）と、を有するものである。
【００９５】
このように構成することにより、野縁４０が固定具５０から外れるのを抑制することができる。具体的には、野縁４０と固定具５０とが相対移動しようとする際に、リップ部４１と２つ（第一固定具６０及び第二固定具７０）の側板部６１・７１との間で摩擦力を発生させることができる。これによって、野縁４０を野縁受け３０に強固に固定することができるため、野縁４０と固定具５０との相対移動を抑制することができる。
【００９６】
また、前記第一固定具６０及び前記第二固定具７０の引っ掛け部６２・７２は、前記側板部６１・７１から前記野縁受け３０の幅方向へ延びるように形成され、前記野縁受け３０の上方に配置される頂部６２ａ・７２ａと、前記頂部６２ａ・７２ａから折れ曲がるように形成され、前記野縁受け３０と当接することで前記野縁受け３０に引っ掛かる爪部６２ｂ・７２ｂと、を有するものである。
【００９７】
このように構成することにより、固定具５０が野縁受け３０から外れるのを抑制することができる。具体的には、野縁受け３０と固定具５０とが相対移動しようとする際に、野縁受け３０と２つ（第一固定具６０及び第二固定具７０）の爪部６２ｂ・７２ｂとの間で摩擦力を発生させることができる。これによって、固定具５０を野縁受け３０に強固に引っ掛けることができるため、野縁受け３０と固定具５０との相対移動を抑制することができる。
【００９８】
また、前記第二固定具７０の爪部７２ｂは、前記第一固定具６０に対して干渉しないように配置されるものである。
【００９９】
このように構成することにより、第一固定具６０が引っ掛けられた状態で第二固定具７０を引っ掛ける場合において、第一固定具６０が第二固定具７０の爪部７２ｂに接触するのを抑制できる。このため、第二固定具７０を野縁受け３０に簡単に引っ掛けることができる。
【０１００】
また、前記第二固定具７０の爪部７２ｂは、前記第一固定具６０に対して、前記野縁受け３０の長手方向の一側及び他側（左側及び右側）に間隔をあけて一対形成されるものである。
【０１０１】
このように構成することにより、第一固定具６０が野縁受け３０に対して左右方向に相対移動した場合に、第二固定具７０の爪部７２ｂを第一固定具６０に当接させて相対移動を規制することができる。このため、第一固定具６０が野縁受け３０から外れるのを抑制することができる。
【０１０２】
また、前記第二固定具７０の頂部７２ａは、前記第一固定具６０の頂部６２ａに上方から重ねられるものである。
【０１０３】
このように構成することにより、第二固定具７０により第一固定具６０を上方から押さえることができる。これにより、第一固定具６０が野縁受け３０から外れるのを抑制することができる。
【０１０４】
また、前記第一固定具６０は、前記側板部６１が前記野縁受け３０に対して前記幅方向の一側（前側）に配置されると共に、前記爪部６２ｂが前記野縁受け３０の前記幅方向の他側（後側）において当接し、前記第二固定具７０は、前記側板部７１が前記野縁受け３０に対して前記幅方向の他側（後側）に配置されると共に、前記爪部７２ｂが前記野縁受け３０の前記幅方向の一側（前側）において当接するものである。
【０１０５】
このように構成することにより、側板部６１・７１によって野縁受け３０を挟むことができるため、固定具５０が野縁受け３０から外れるのを効果的に抑制することができる。
【０１０６】
また、前記野縁受け３０は、前記第一固定具６０の爪部６２ｂ・７２ｂと当接するウェブ３１と、前記ウェブ３１の下部から前記幅方向の一側（前側）へ向けて突出する下フランジ３３と、前記ウェブ３１の上部から前記幅方向の一側（前側）へ向けて突出し、前記第二固定具７０の爪部６２ｂ・７２ｂと当接する上フランジ３２と、を有し、前記第二固定具７０の側板部６１・７１は、前記野縁受け３０のウェブ３１との間に前記第一固定具６０の爪部６２ｂ・７２ｂを挟み込むものである。
【０１０７】
このように構成することにより、ウェブ３１と第二固定具７０の側板部７１とにより、第一固定具６０の爪部６２ｂを保持することができる。このため、第一固定具６０が野縁受け３０から外れるのを抑制することができる。
【０１０８】
また、前記第二固定具７０の爪部６２ｂ・７２ｂは、前記上フランジ３２と前記下フランジ３３との間に入り込むように延出するものである。
【０１０９】
このように構成することにより、第二固定具７０を野縁受け３０に強固に引っ掛けることができる。このため、第二固定具７０が野縁受け３０から外れるのを抑制することができる。
【０１１０】
また、以上の如く、本実施形態に係る固定具５０は、野縁受け３０に引っ掛けられ、リップ部４１を有する野縁４０を前記野縁受け３０に固定する固定具５０であって、互いに別体として構成される第一固定具６０及び第二固定具７０を有し、前記第一固定具６０及び前記第二固定具７０は、前記野縁受け３０に引っ掛けられる引っ掛け部６２・７２と、前記野縁４０のリップ部４１と当接することで前記野縁４０を支持する支持部（側板部６１・７１）と、を有し、前記第一固定具６０及び前記第二固定具７０の引っ掛け部６２・７２は、前記側板部６１・７１から前記野縁受け３０の幅方向へ延びるように形成され、前記野縁受け３０の上方に配置される頂部６２ａ・７２ａと、前記頂部６２ａ・７２ａと連続するように形成され、下方へと折れ曲がるように変形可能な変形部６２ｃ・７２ｃと、を有するものである。
【０１１１】
このように構成することにより、第一固定具６０及び第二固定具７０の側板部６１・７１をそれぞれ野縁４０のリップ部４１に当接させた状態で、第一固定具６０及び第二固定具７０の引っ掛け部６２・７２を野縁受け３０に引っ掛けることができる。これにより、野縁４０を野縁受け３０に強固に固定することができるため、野縁４０が固定具５０から外れるのを抑制することができる。
【０１１２】
なお、本実施形態に係る側板部６１・７１は、本発明に係る支持部の実施の一形態である。
本実施形態における前後方向は、本発明に係る野縁受けの幅方向に対応する。
本実施形態における左右方向は、本発明に係る野縁受けの長手方向に対応する。
【０１１３】
以上、本発明の実施形態を説明したが、本発明は上記構成に限定されるものではなく、特許請求の範囲に記載された発明の範囲内で種々の変更が可能である。
【０１１４】
例えば、本実施形態において、野縁４０は、シングル野縁であるものとしたが、シングル野縁よりも左右方向幅が大きなダブル野縁であってもよい。
【０１１５】
また、野縁４０のリップ部４１には、必ずしも本実施形態のように返し部４１ａが形成されている必要はない。
【０１１６】
また、第一固定具６０及び第二固定具７０の爪部６２ｂ・７２ｂは、それぞれ左右一対形成されるものとしたが、野縁受け３０に引っ掛け可能であれば、爪部６２ｂ・７２ｂの構成はこれに限定されるものではない。
【０１１７】
また、爪部６２ｂ・７２ｂを折り曲げる角度は、本実施形態に限定されるものではなく、第一固定具６０及び第二固定具７０の向き等に応じた適宜の角度であればよい。
【０１１８】
また、第一固定具６０及び第二固定具７０の野縁受け３０に対する向きは、本実施形態に限定されるものではなく、本実施形態とは反対向きであってもよい。
【０１１９】
また、第一固定具６０及び第二固定具７０は、互いに反対向きで野縁受け３０に取り付けられるものとしたが、第一固定具６０及び第二固定具７０の向きの関係はこれに限定されるものではなく、互いに同じ向きで取り付けられていてもよい。
【０１２０】
また、第一固定具６０及び第二固定具７０は、取り付け時に係合部６１ｅ・７１ｅがリップ部４１に当接されていればよく、必ずしも取り付け時に持ち上げられる必要はない。
【０１２１】
また、第一固定具６０及び第二固定具７０の構成は、野縁４０を野縁受け３０に固定可能であれば、本実施形態に限定されるものではない。図１７は、本実施形態に係る第二固定具７０とは一部の構成が異なる変形例に係る第二固定具１７０を示すものである。変形例に係る第二固定具１７０は、側板部１７１に収容部１７１ｆが形成される点、及び頂部１７２ａの形状が異なる点で、本実施形態に係る第二固定具７０と相違する。
【０１２２】
収容部１７１ｆは、側板部１７１の上部に形成される。収容部１７１ｆは、側板部１７１の上部を後方に突出させることで形成される。収容部１７１ｆは、内側に第一固定具６０の爪部６２ｂを収容可能に形成される。頂部１７２ａは、本実施形態の頂部７２ａのように引っ掛け部７２の左端部から右端部までに亘って形成されるのではなく、引っ掛け部１７２の左部及び右部に間隔をあけて（左右一対）形成される。
【０１２３】
図１８は、変形例に係る第二固定具１７０を第一固定具６０に重ねた状態を示す図である。図１８に示すように、第二固定具１７０は、第一固定具６０に重ねた状態において、第一固定具６０の爪部６２ｂを収容部１７１ｆに収容することができる。これにより、第二固定具１７０の側板部１７１を、本実施形態のように第一固定具６０（爪部６２ｂ）に当接させるのではなく、野縁受け３０のウェブ３１に当接させることができる。これによれば、第一固定具６０の側板部６１と第二固定具１７０の側板部１７１とにより野縁受け３０を挟み込んで保持することができるため、固定具５０が野縁受け３０から外れるのを抑制することができる。
【符号の説明】
【０１２４】
１          天井構造
４１        リップ部
４０        野縁
３０        野縁受け
５０        固定具
６０        第一固定具
７０        第二固定具
６２・７２  引っ掛け部
６１・７１  側板部（支持部）
【図１】
2020051208.tif 000003
【図２】
2020051208.tif 000004
【図３】
2020051208.tif 000005
【図４】
2020051208.tif 000006
【図５】
2020051208.tif 000007
【図６】
2020051208.tif 000008
【図７】
2020051208.tif 000009
【図８】
2020051208.tif 000010
【図９】
2020051208.tif 000011
【図１０】
2020051208.tif 000012
【図１１】
2020051208.tif 000013
【図１２】
2020051208.tif 000014
【図１３】
2020051208.tif 000015
【図１４】
2020051208.tif 000016
【図１５】
2020051208.tif 000017
【図１６】
2020051208.tif 000018
【図１７】
2020051208.tif 000019
【図１８】
2020051208.tif 000020